【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
患者内に流体を送達するためのシステムであって、
患者の外部に位置決めされるように構成され、流体リザーバ内において高圧下に流体物質を維持するように構成された、高圧流体源と、
患者内に位置決めされるように構成された送達デバイスであって、流体送達開口を備える送達デバイスと、
前記患者の外部におよび前記流体リザーバの下流に配設されるように構成された流体制御装置であって、前記流体リザーバから前記流体送達開口へとおよび前記送達デバイスから出るように高圧下で流体を流し得るように構成された、流体制御装置とを備える、システム。
【請求項２】
前記流体制御装置は、開構成および閉構成を有する弁である、請求項１に記載の装置。
【請求項３】
前記流体制御装置は、前記患者の外部に配設されるように構成される、請求項１に記載の装置。
【請求項４】
管腔壁に対して前記開口を再位置決めするように構成された膨張可能部材をさらに備える、請求項１に記載の装置。
【請求項５】
前記流体制御装置は、オフ状態からオン状態へと作動され、次いでオフ状態へと戻されるように構成され、オン／オフ遷移およびオフ／オン遷移が、いずれも約１５マイクロ秒未満である、請求項１に記載の装置。
【請求項６】
前記流体送達開口は、約０．０２５４ｍｍ〜約０．１２７ｍｍ（約１ミル〜約５ミル）の間の直径を有する、請求項１に記載の装置。
【請求項７】
前記高圧流体源は、前記流体リザーバ内において５１７１ｋＰａ〜３４４７５ｋＰａ（７５０ｐｓｉ〜５０００ｐｓｉ）の圧力下に流体物質を維持するように構成される、請求項１に記載の装置。
【請求項８】
患者内の標的位置に対して流体を送達するように構成された流体送達デバイスであって、
流体を収容するように構成された流体リザーバを備える流体源と、
前記患者内に位置決めされるように構成され、前記流体源と連通状態になるように構成された、送達デバイスとを備え、
前記送達デバイスは、流体送達ラインを備え、前記流体送達ラインは、前記流体リザーバと流体連通するように構成された開口を有し、
前記流体ラインは、前記開口が前記膨張可能部材の長手方向軸に対してラジアル方向に外方に向くように、前記膨張可能部材に対して固定される、流体送達デバイス。
【請求項９】
前記膨張可能部材は、膨張可能バルーンである、請求項８に記載のデバイス。
【請求項１０】
前記開口は、前記膨張可能部材の長手方向軸に沿って前記膨張可能部材の実質的に中心の位置に配設される、請求項８に記載のデバイス。
【手続補正２】
【補正対象書類名】明細書
【補正対象項目名】００７７
【補正方法】変更
【補正の内容】
【００７７】
[00094]本開示の一態様は、神経機能に標的設定されたアブレーション物質と、治療的に標的設定されたアブレーション物質を除去する身体能力を遅滞させるために毛細血管摂取および／またはリンパ摂取を阻害するように具体的に標的設定されたアブレーション物質とのカクテルを送達することによる、高血圧症の治療方法である。この態様においては、先述の態様よりもさらに少量ではあるが、一般的なアブレーション物質がやはりカクテルに追加され得る。
以上説明したように、本発明は以下の形態を有する。
［形態１］
患者内に流体を送達するためのシステムであって、
患者の外部に位置決めされるように構成され、流体リザーバ内において高圧下に流体物質を維持するように構成された、高圧流体源と、
患者内に位置決めされるように構成された送達デバイスであって、流体送達開口を備える送達デバイスと、
前記患者の外部におよび前記流体リザーバの下流に配設されるように構成された流体制御装置であって、前記流体リザーバから前記流体送達開口へとおよび前記送達デバイスから出るように高圧下で流体を流し得るように構成された、流体制御装置とを備える、システム。
［形態２］
前記流体制御装置は、開構成および閉構成を有する弁である、形態１に記載の装置。
［形態３］
前記流体制御装置は、前記患者の外部に配設されるように構成される、形態１に記載の装置。
［形態４］
管腔壁に対して前記開口を再位置決めするように構成された膨張可能部材をさらに備える、形態１に記載の装置。
［形態５］
前記流体制御装置は、オフ状態からオン状態へと作動され、次いでオフ状態へと戻されるように構成され、オン／オフ遷移およびオフ／オン遷移が、いずれも約１５マイクロ秒未満である、形態１に記載の装置。
［形態６］
前記流体送達開口は、約０．０２５４ｍｍ〜約０．１２７ｍｍ（約１ミル〜約５ミル）の間の直径を有する、形態１に記載の装置。
［形態７］
前記高圧流体源は、前記流体リザーバ内において５１７１ｋＰａ〜３４４７５ｋＰａ（７５０ｐｓｉ〜５０００ｐｓｉ）の圧力下に流体物質を維持するように構成される、形態１に記載の装置。
［形態８］
患者内の標的位置に対して流体を送達するように構成された流体送達デバイスであって、
流体を収容するように構成された流体リザーバを備える流体源と、
前記患者内に位置決めされるように構成され、前記流体源と連通状態になるように構成された、送達デバイスとを備え、
前記送達デバイスは、流体送達ラインを備え、前記流体送達ラインは、前記流体リザーバと流体連通するように構成された開口を有し、
前記流体ラインは、前記開口が前記膨張可能部材の長手方向軸に対してラジアル方向に外方に向くように、前記膨張可能部材に対して固定される、流体送達デバイス。
［形態９］
前記膨張可能部材は、膨張可能バルーンである、形態８に記載のデバイス。
［形態１０］
前記開口は、前記膨張可能部材の長手方向軸に沿って前記膨張可能部材の実質的に中心の位置に配設される、形態８に記載のデバイス。
［形態１１］
患者内に流体を送達する方法であって、
流体リザーバ内において高圧下に流体物質を維持するステップと、
前記流体リザーバの下流におよび前記患者の外部に位置決めされた流体制御装置を閉構成から開くことにより、高圧に維持された流体物質を高圧下において前記流体リザーバから前記流体制御装置の下流に配設された流体開口まで流させるステップと、
前記開口から出て前記患者内へと高速で前記流体物質を送達するステップとを含む、方法。
［形態１２］
腎動脈内に前記開口を備える送達デバイスを位置決めするステップをさらに含み、
送達する前記ステップは、前記流体物質が、前記腎動脈の周囲の神経と相互作用し、前記神経に沿った神経伝達を阻害することにより、高血圧症を軽減するように、前記開口からおよび前記患者内に高速で前記流体物質を送達するステップを含む、形態１１に記載の方法。
［形態１３］
高圧下に流体物質を維持する前記ステップは、５１７１ｋＰａ〜３４４７５ｋＰａ（７５０ｐｓｉ〜５０００ｐｓｉ）に流体物質を維持するステップを含む、形態１１に記載の方法。
［形態１４］
管腔内に開口を備える送達デバイスを位置決めするステップと、前記送達デバイスの長手方向軸からラジアル方向に外方に向くように前記開口を位置決めするステップとをさらに含む、形態１１に記載の方法。
［形態１５］
膨張可能部材を膨張させることにより前記開口を前記管腔壁と係合状態に位置決めするステップをさらに含む、形態１４に記載の方法。
［形態１６］
前記膨張可能部材を膨張させる前記ステップにより、前記膨張可能部材に対して固定された流体送達ラインが再構成される、形態１５に記載の方法。
［形態１７］
前記流体制御装置を閉じることにより、前記流体開口から送達される前記流体物質の量を制御するステップをさらに含む、形態１１に記載の方法。
［形態１８］
前記開口からおよび前記患者内に高速で前記流体物質を送達する前記ステップは、５０ｍ／秒〜４００ｍ／秒にて前記流体物質を送達するステップを含む、形態１１に記載の方法。
［形態１９］
前記流体物質は、約５ｍＬ／分〜約４０ｍＬ／分の間にて前記流体リザーバから流出する、形態１１に記載の方法。
［形態２０］
前記開口からおよび前記患者内に高速で前記流体を送達する前記ステップは、約５０〜５００ミリ秒の間の継続時間で流体パルスにおいて前記流体物質を送達するステップを含む、形態１１に記載の方法。
［形態２１］
前記流体物質を送達する前記ステップは、約１０μＬ〜約５００μＬの間の前記流体物質の流体パルスにおいて、前記流体物質を送達するステップを含む、形態１１に記載の方法。